(57)【要約】【課題】１人の患者に対して複数の点滴注射がなされる場合において、患者の動作や点滴器具の交換操作を阻害するといった弊害をもたらすことなく、点滴チューブの絡み合いを防止する点滴チューブ保持具を提供することである。【解決手段】点滴チューブ保持具１０は、固定部材１２を介して点滴スタンド１１０に取り付けられ、複数の点滴チューブ１０２をそれぞれ分離して保持する複数の収容部１３を含む保持部材１１を備え、収容部１３は、点滴チューブ１０２を収容する内部空間の径が点滴チューブ１０２の径よりも大きく、点滴チューブ１０２の長手方向に対する移動を許容する。また、固定部材１２の支持部１５は、保持部材１１に対して板面に沿った方向に所定の力が加わると保持部材１１が外れるように、保持部材１１を板面の両側から挟持して支持する。【選択図】図８
2011098067.tif 000002
【特許請求の範囲】
【請求項１】
点滴スタンドに設置される点滴バッグにつながった点滴チューブの保持具であって、
点滴スタンドに取り付けられて用いられ、
複数の点滴チューブをそれぞれ分離して保持する複数の収容部を備えることを特徴とする医療用の点滴チューブ保持具。
【請求項２】
請求項１に記載の医療用の点滴チューブ保持具において、
収容部は、点滴チューブを収容する内部空間の径が点滴チューブの径よりも大きく、点滴チューブの長手方向に対する移動を許容することを特徴とする医療用の点滴チューブ保持具。
【請求項３】
請求項２に記載の医療用の点滴チューブ保持具において、
複数の収容部が形成される保持部材と、
点滴スタンドに固定される部材であって、保持部材を着脱自在に支持する支持部を含む固定部材と、
を備えることを特徴とする医療用の点滴チューブ保持具。
【請求項４】
請求項３に記載の医療用の点滴チューブ保持具において、
保持部材は、板形状を有し、
固定部材の支持部は、保持部材に対して板面に沿った方向に所定の力が加わると保持部材が外れるように、保持部材を板面の両側から挟持して支持することを特徴とする医療用の点滴チューブ保持具。
【請求項５】
請求項４に記載の医療用の点滴チューブ保持具において、
保持部材の収容部は、板形状の厚み方向に貫通した貫通孔であり、
保持部材には、側面から収容部に亘って、少なくとも一部の幅が点滴チューブの直径よりも小さなスリットが形成されることを特徴とする医療用の点滴チューブ保持具。
【請求項６】
請求項３〜５のいずれか１に記載の医療用の点滴チューブ保持具において、
少なくとも保持部材は、非磁性体材料から構成されることを特徴とする医療用の点滴チューブ保持具。
【発明の詳細な説明】
【技術分野】
【０００１】
本発明は、医療用の点滴チューブ保持具に関し、特に、１人の患者に対して複数の点滴注射がなされるときに使用される医療用の点滴チューブ保持具に関する。
【背景技術】
【０００２】
点滴注射は、栄養分の補給や輸血などを目的として、薬液が充填され高所に置かれた点滴バッグから点滴チューブを通して薬液を取り出し、点滴チューブの先端に取り付けられた注射針によって静脈内に薬液を注入するものである。図１に示すように、点滴注射に使用される医療用点滴器具１００（以下、点滴器具１００とする）は、一般的に、点滴バッグ１０１と、点滴バッグ１０１の底部につながり薬液を取り出すための点滴チューブ１０２と、点滴チューブ１０２の途中に設けられたチャンバー１０３及びローラークレンメ１０４と、図示しない注射針と、から構成される。ここで、図１は、一般的な医療用点滴器具及びその使用状態を示す図である。
【０００３】
図１に示すように、点滴器具１００は、点滴バッグ１０１が点滴スタンド１１０に吊り下げられ、点滴チューブ１０２の先端に取り付けられた注射針が図示しない患者の腕等の静脈に挿入された状態で使用される。そして、高所にある点滴バッグ１０１に充填された薬液は、点滴チューブ１０２を流れ、注射針を介して患者に投与される。なお、点滴チューブ１０２は、患者の軽微な動作を阻害しないように、通常、ある程度たわみのある長さを有している。
【０００４】
上記のような点滴注射は、１人の患者に対して複数なされる場合がある。１人の患者に対して複数の点滴注射がなされる状態としては、図１に示すように、複数の点滴バッグ１０１からその数に対応した点滴チューブ１０２がそれぞれ患者につながる状態が挙げられる。このような状態では、点滴チューブ１０２同士が絡み合うことが想定され、特に、点滴器具１００を付けたまま患者が移動するとき、或いは患者を搬送するとき、また、点滴器具１００を交換するとき等において不便である。
【発明の概要】
【発明が解決しようとする課題】
【０００５】
上記のように、１人の患者に対して複数の点滴注射がなされるときには、点滴チューブ１０２同士が絡み合うという問題がある。点滴チューブ１０２が絡み合うと、点滴器具１００の交換操作等において不便であるだけでなく、薬液の流れが阻害される、或いは注射針が外れるなどの問題が発生する可能性がある。
【０００６】
点滴チューブ１０２の絡み合いを防止するために、点滴チューブ１０２を粘着テープ等で点滴スタンド１１０に貼り付ける方法等が考えられる。しかし、このような方法では、点滴器具１００の交換時に強く接着した粘着テープの取り外し作業を余儀なくされ、また、患者の動作が著しく阻害される場合も想定される。以上のように、従来では、１人の患者に対して複数の点滴注射がなされる場合に、弊害をもたらすことなく、点滴チューブの絡み合いを防止する有効な対策は見出せていなかった。
【０００７】
本発明の目的は、１人の患者に対して複数の点滴注射がなされる場合において、簡便な手段により、点滴チューブの絡み合いを防止することが可能な医療用の点滴チューブ保持具を提供することである。
【課題を解決するための手段】
【０００８】
本発明に係る医療用の点滴チューブ保持具は、点滴スタンドに設置される点滴バッグにつながった点滴チューブの保持具であって、点滴スタンドに取り付けられて用いられ、複数の点滴チューブをそれぞれ分離して保持する複数の収容部を備えることを特徴とする。したがって、本発明に係る医療用の点滴チューブ保持具によれば、複数の収容部によって、複数の点滴チューブをそれぞれ独立に収容して保持できるため、点滴チューブ同士の絡み合いを防止することが可能になる。
【０００９】
また、上記収容部は、点滴チューブを収容する内部空間の径が点滴チューブの直径よりも大きく、点滴チューブの長手方向に対する移動を許容する構成とすることが好ましい。なお、点滴チューブの移動をスムーズにするため、少なくとも点滴チューブと接触する収容部の内壁部分は、点滴チューブとの摩擦抵抗が小さな材料から構成されることが好ましい。この構成によれば、点滴チューブの長手方向に対する移動が許容されるため、より使い勝手が向上する。即ち、点滴器具の交換操作や患者を搬送する場合などに、点滴チューブが完全に固定されてしまうことがないため、点滴チューブが無理に引っ張られて、薬液の流れが阻害される、注射針が外れる、或いは点滴スタンドが倒れるといった問題を防止することができる。
【００１０】
また、本発明に係る医療用の点滴チューブ保持具は、複数の収容部が形成される保持部材と、点滴スタンドに固定される部材であって、保持部材を着脱自在に支持する支持部を含む固定部材と、から構成されることが好ましい。この構成によれば、固定部材を点滴スタンドに固定したままで保持部材のみを簡単に交換することができる。
【００１１】
また、保持部材は、板形状を有し、固定部材の支持部は、保持部材に対して板面に沿った方向に所定の力が加わると保持部材が外れるように、保持部材を板面の両側から挟持して支持することが好ましい。この構成によれば、点滴チューブが引っ張られて保持部材に対して板面に沿った方向に所定の力が加わると、保持部材が支持部から外れるため、点滴チューブが無理に引っ張られることをさらに抑制することができる。
【００１２】
また、保持部材の収容部は、板形状の厚み方向に貫通した貫通孔であり、保持部材には、側面から収容部に亘って、少なくとも一部の幅が点滴チューブの直径よりも小さなスリットが形成されるが好ましい。この構成によれば、必ずしも先端から点滴チューブを収容部に挿入する必要はなく、スリットを通して点滴チューブの中途部を収容部に取り付けることができる。そして、スリットの一部の幅が点滴チューブの直径よりも小さいので、収容部から点滴チューブが外れることを防止できる。特に、点滴チューブの取り付け性等の観点から、スリットは、保持部材の側面方向に向かって幅が広くなることが好ましい。
【００１３】
また、少なくとも保持部材、好ましくは、保持部材及び固定部材の両方が、非磁性体材料から構成されることが好ましい。この構成によれば、磁気共鳴画像装置（ＭＲＩ）のような強力な磁力を用いる検査の際にも支障なく使用することが可能になる。
【発明の効果】
【００１４】
本発明に係る医療用の点滴チューブ保持具によれば、１人の患者に対して複数の点滴注射がなされる場合において、患者の動作や点滴器具の交換操作を阻害するといった弊害をもたらすことなく、点滴チューブの絡み合いを防止することが可能になる。
【図面の簡単な説明】
【００１５】
【図１】一般的な医療用点滴器具及びその使用状態を示す図である。
【図２】本発明の第１実施形態における点滴チューブ保持具の平面図である。
【図３】本発明の第１実施形態における点滴チューブ保持具の正面図である。
【図４】本発明の第１実施形態における点滴チューブ保持具の背面図である。
【図５】本発明の第１実施形態における点滴チューブ保持具の右側面図である。
【図６】本発明の第１実施形態における点滴チューブ保持具の保持部材を示す斜視図である。
【図７】本発明の第１実施形態における点滴チューブ保持具の固定部材を示す斜視図である。
【図８】本発明の第１実施形態における点滴チューブ保持具の使用状態を示す図である。
【図９】本発明の第２実施形態における点滴チューブ保持具の平面図である。
【図１０】本発明の第３実施形態における点滴チューブ保持具の平面図である。
【図１１】本発明の第３実施形態における点滴チューブ保持具の正面図である。
【図１２】本発明の第３実施形態における点滴チューブ保持具の右側面図である。
【図１３】本発明の第３実施形態における点滴チューブ保持具の使用状態を示す図である。
【図１４】本発明の第４実施形態における点滴チューブ保持具の平面図である。
【図１５】本発明の第５実施形態における点滴チューブ保持具の平面図である。
【図１６】本発明の第６実施形態における点滴チューブ保持具の斜視図であって、使用状態を示す図である。
【図１７】本発明の第７実施形態における点滴チューブ保持具の平面図である。
【発明を実施するための形態】
【００１６】
図面を用いて、本発明に係る点滴チューブ保持具の実施の形態について、以下詳細に説明する。ここで、図２〜８は、第１実施形態における点滴チューブ保持具１０を、図９は、第２実施形態における点滴チューブ保持具２０を、図１０〜１３は、第３実施形態における点滴チューブ保持具３０を、それぞれ示す図である。また、図１４〜１７は、第４〜７実施形態における点滴チューブ保持具４０、５０、６０、７０をそれぞれ示す図である。
【００１７】
図１に、本発明に係る点滴チューブ保持具を適用することができる一般的な点滴器具１００を示す。上記のように、各点滴バッグ１０１からは、それぞれ点滴チューブ１０２が伸び、点滴チューブ１０２の途中に、薬液中の微小な気泡を除去すると共に注入速度を計測するチャンバー１０３と、点滴チューブ１０２を圧迫して注入速度を調整するローラークレンメ１０４と、が設けられている。点滴チューブ保持具により保持される点滴チューブ１０２としては、一般的に、弾力性のある軟質塩化ビニル樹脂等の樹脂製チューブが使用される。
【００１８】
点敵器具１００が設置される点滴スタンド１１０は、鉛直方向に沿った軸１１１と、軸１１１の上端に設けられる吊り下げフック１１２と、軸１１１の下端に設けられる脚部１１３と、を備える。図１に示すように、点滴スタンド１１０は、４つの吊り下げフック１１２を有し、各吊り下げフック１１２に点滴バッグ１０１が吊り下げられている。点滴バッグ１０１のサイズ等にもよるが、１つの吊り下げフック１１２に複数の点滴バッグ１０１を吊り下げることもできる。また、脚部１１３には、キャスターが取り付けられているため、患者は、点滴器具１００を付けたまま移動することができる。また、軸１１１は、ジョイント１１４を緩めることで、上側と下側を分離できるように構成されている。点滴チューブ保持具は、通常、軸１１１に取り付けられるが、軸１１１の上側、下側のいずれにも取り付けることができる。
【００１９】
なお、以下では、点滴チューブ保持具は、上記のような点滴器具１００、点滴スタンド１１０に適用されるものとして説明するが、点滴チューブ保持具が適用される点滴器具、点滴スタンドは、特に限定されるものではない。
【００２０】
図２〜８を用いて、第１実施形態の点滴チューブ保持具１０について説明する。なお、ここでは、収容部１３が連続する方向を保持部材１１（点滴チューブ保持具１０）の左右方向、スリット１４が形成される方向を前後方向とする（第２〜第４実施形態についても同様）。
【００２１】
図２〜５に示すように、点滴チューブ保持具１０は、点滴チューブ１０２を保持する保持部材１１と、保持部材１１を点滴スタンド１１０（図１、８参照）に固定する固定部材１２と、から構成されている。なお、保持部材１１と固定部材１２とは、後述する支持部１５によって着脱自在に接続されており、固定部材１２を点滴スタンド１１０に取り付けたままで保持部材１１のみを取り外しすることができる。
【００２２】
保持部材１１は、上記のように、点滴チューブ１０２を保持する機能を有する部材であって、詳しくは後述するように、平坦な板形状を有する。そして、保持部材１１には、点滴チューブ１０２を保持できるように、板形状を厚み方向に貫通した貫通孔である収容部１３が形成される。
【００２３】
収容部１３は、複数の点滴チューブ１０２をそれぞれ分離して独立に保持する機能を有し、保持したい点滴チューブ１０２の数に応じて、任意にその数を設定することができる。例えば、保持部材１１には、図２等に示すように、６つの収容部１３が形成されており、保持部材１１によれば、最大６つの点滴チューブ１０２を独立に収容して保持することができる。
【００２４】
収容部１３は、また、点滴チューブ１０２を収容する内部空間の径（直径）が点滴チューブ１０２の直径よりも大きく、点滴チューブ１０２の長手方向に対する移動を許容する。したがって、点滴器具１００の交換操作や患者を搬送する場合などに、点滴チューブ１０２が保持部材１１によって完全に固定されないため、点滴チューブ１０２が無理に引っ張られる等して、薬液の流れが阻害されたり、注射針が外れたりすることを防止できる。保持部材１１、特に、点滴チューブ１０２と接触する収容部１３の内壁部分と点滴チューブ１０２との摩擦抵抗を低減して点滴チューブ１０２のよりスムーズな移動を可能にするため、例えば、保持部材１１の構成材料に滑剤を添加することができる。また、該内壁部分に、低摩擦の部材を取り付けることができる。
【００２５】
収容部１３の断面形状としては、点滴チューブ１０２の形状に対応した円形状であることが好ましい。収容部１３の間隔や配置は、保持すべき点滴チューブ１０２の数や点滴スタンド１１０の形態等に応じて任意に設定することができる。例えば、図２等に示すように、均等な間隔（例えば、１０ｍｍ間隔）で配置することができるし、保持部材１１の中央部分には収容部１３を設けず両端のみに収容部１３を設けることもできる。また、収容部１３は、前後方向の略中央に形成され、保持部材１１には、その側面（正面）から収容部１３に亘ってスリット１４が形成される。
【００２６】
スリット１４は、収容部１３に点滴チューブ１０２を導入するための通路として機能する切り欠きである。即ち、点滴チューブ１０２は、スリット１４を通して保持部材１１の側面から収容部１３に挿入される。スリット１４は、少なくとも一部の幅が点滴チューブ１０２の直径よりも小さくなるように形成される。図２等に示すように、スリット１４は、収容部１３につながる部分の幅が点滴チューブ１０２の直径よりも小さく、保持部材１１の側面に向かうに連れて次第に幅が大きくなっている。このようなスリット１４を形成することにより、点滴チューブ１０２の取り付け、取り外しが容易になると共に、一部の幅が点滴チューブ１０２の直径よりも小さいので、収容部１３から点滴チューブ１０２が意図せずに外れることを抑制できる。なお、スリット１４は、１つの側面（例えば、正面）からだけでなく、複数の側面（例えば、左右側面）からも形成することができる。
【００２７】
図６に、固定部材１２から分離した保持部材１１を示す。保持部材１１は、図６に示すように、左右の長さがＡ、前後の長さがＢ、厚みがＣである矩形の平坦な板形状を有する。また、保持部材１１には、後述する支持部１５の形状に合わせてＤ×Ｅにカットされた凹状部が形成されている。また、保持部材１１の四隅は、Ｒ面取り加工されている。例えば、保持部材１１は、Ａ；１５０ｍｍ、Ｂ；３０ｍｍ、Ｃ；５ｍｍ、Ｄ；３０ｍｍ、Ｅ；３ｍｍのサイズであって、左右対称な形状を有する。即ち、保持部材１１の右側面及び左側面、正面及び背面はそれぞれ同一形状である。
【００２８】
収容部１３の直径は、例えば、４ｍｍであり、点滴チューブ１０２の直径（例えば、約３．５mm）よりも大きく設定される。また、スリット１４の幅としては、収容部１３との結合部分の幅が３ｍｍ、側面部分の幅が５ｍｍで、保持部材１１の側面方向に向かって幅が広くなるテーパー形状とすることができる。
【００２９】
固定部材１２は、上記のように、保持部材１１を点滴スタンド１１０に固定する機能を有する部材である。即ち、保持部材１１は、固定部材１２を介して点滴スタンド１１０に取り付けられる。具体的に、固定部材１２は、点滴スタンド１１０の鉛直方向に沿った軸１１１に取り付けられる。
【００３０】
固定部材１２は、点滴スタンド１１０の軸１１１に嵌め込むことが可能な形状であって、例えば、軸１１１に沿って伸びるコの字形状を有する。固定部材１２の側面部には、内壁にネジ溝が形成された貫通孔が設けられ、その貫通孔に固定ネジ１６がねじ込まれている。この固定ネジ１６を締めることにより、固定ネジ１６の先端が軸１１１に当接され、固定部材１２が軸１１１に固定される。
【００３１】
図７に、保持部材１１を取り外した固定部材１２を示す。図７に示すように、固定部材１２は、保持部材１１を着脱自在に支持する支持部１５を備える。支持部１５は、左右方向に沿って伸びるコの字形状を有しており、保持部材１１を挟持する。固定部材１２は、図２等に示すように、保持部材１１に形成された凹部に、支持部１５が嵌合することで、安定に保持部材１１を支持することができる。
【００３２】
支持部１５は、保持部材１１に対して板面に沿った方向に所定の力が加わったときに保持部材１１が脱離するように、保持部材１１を板面の両側から挟持して支持する機能を有する。即ち、点滴チューブ１０２が引っ張られて保持部材１１に対して板面に沿った方向に所定の力が加わると、保持部材１１が支持部１５から外れるため、点滴チューブ１０２が無理に引っ張られることをさらに抑制することができる。支持部１５の構造としては、特に限定されず、上記のように、保持部材１１を板面の両側から挟持するコの字形状の構造とすることができる。
【００３３】
点滴チューブ保持具１０を構成する部材、即ち、保持部材１１、好ましくは、保持部材１１及び固定部材１２の両方が、非磁性体材料から構成されることが好ましい。ここで、非磁性材料としては、加工性や耐久性等の観点から、アクリル樹脂、ポリオレフィン樹脂、塩化ビニル樹脂等の樹脂材料であることが好ましい。これらの樹脂材料には、着色剤や滑剤、帯電防止剤等の各種添加剤を添加しておくことができる。このような非磁性材料により、点滴チューブ保持具１０を構成すれば、磁気共鳴画像装置（ＭＲＩ）のような強力な磁力を用いる検査の際にも支障なく使用することが可能になる。
【００３４】
図８に、点滴チューブ保持具１０の使用状態を示す。図８に示すように、固定部材１２を点滴スタンド１１０の軸１１１に嵌め込んでから、固定ネジ１６を締め付けることにより、固定部材１２を軸１１１に取り付ける。保持部材１１は、固定部材１２の支持部１５により、収容部１３が貫通する方向（厚み方向）が鉛直方向に沿うように支持され、固定部材１２を介して軸１１１に取り付けられる。
【００３５】
保持部材１１の収容部１３には、４本の点滴チューブ１０２が、４つの収容部１３に別れて独立に保持されている。この保持部材１１によれば、最大６本の点滴チューブ１０２を保持することができる。各収容部１３は、間隔を空け独立して配置されているので、保持される点滴チューブ１０２が絡み合うことを防止することができる。なお、点滴チューブ１０２は、スリット１４を通して収容部１３に簡単に導入され、また、スリット１４を通して取り外すことができる。
【００３６】
以上のように、点滴チューブ保持具１０は、固定部材１２を介して点滴スタンド１１０に取り付けられ、複数の点滴チューブ１０２をそれぞれ分離して保持する複数の収容部１３を含む保持部材１１を備える。そして、収容部１３は、点滴チューブ１０２を収容する内部空間の径が点滴チューブ１０２の径よりも大きく、点滴チューブ１０２の長手方向に対する移動を許容する。したがって、点滴チューブ保持具１０によれば、１人の患者に対して複数の点滴注射がなされる場合において、患者の動作や点滴器具１００の交換操作を阻害するといった弊害をもたらすことなく、点滴チューブ１０２の絡み合いを防止することが可能になる。
【００３７】
また、固定部材１２の支持部１５は、保持部材１１に対して板面に沿った方向に所定の力が加わると保持部材１１が外れるように、保持部材１１を板面の両側から挟持して支持するため、点滴チューブ１０２が無理に引っ張られて、薬液の流れが阻害される、注射針が外れる、点滴スタンド１１０が倒れるといった問題を防止することができる。
【００３８】
図９を用いて、第２実施形態の点滴チューブ保持具２０について説明する。なお、点滴チューブ保持具２０の背面、左右側面の形状は、点滴チューブ保持具１０の背面（図４）、左右側面（図５）と同一形状である。また、点滴チューブ保持具１０と同一の構成要素については、同一の符号を付して、その説明を省略する（第３〜第７実施形態についても同様）。
【００３９】
図９に示すように、点滴チューブ保持具２０は、点滴チューブ保持具１０と同様に、点滴チューブ１０２を保持する保持部材２１と、保持部材２１を点滴スタンド１１０に固定する固定部材１２と、から構成されている。点滴チューブ保持具２０は、保持部材２１の収容部１３の構成、具体的には、収容部１３の数が異なる以外は、点滴チューブ１０と同様の形態を備える。
【００４０】
図９に示すように、保持部材２１には、３つの収容部１３が形成されており、保持部材２１によれば、最大３つの点滴チューブ１０２を独立に収容保持することができる。保持部材２１は、固定部材１２の支持部１５により着脱自在に支持されているため、保持したい点滴チューブ１０２の本数が増加する場合には、保持部材２１に代えて、保持部材１１を取り付けて使用することができる。なお、保持部材２１は、保持部材１１と同一の外形サイズを有するが、収容部１３同士の配置間隔を小さくして、保持部材２１の幅を小さくすることもできる。
【００４１】
図１０〜１３を用いて、第３実施形態の点滴チューブ保持具３０について説明する。なお、点滴チューブ保持具３０の背面形状は、保持部材３１の左右の長さが保持部材１１よりも短い点を除き、点滴チューブ保持具１０の背面形状（図４）と同一である。
【００４２】
図１０〜１３に示すように、点滴チューブ保持具３０は、点滴チューブ保持具１０と同様に、点滴チューブ１０２を保持する保持部材３１と、保持部材３１を点滴スタンド１１０に固定する固定部材１２と、から構成されている。点滴チューブ保持具３０は、保持部材３１の形状及び収容部１３の数が異なる以外は、点滴チューブ保持具１０と同様の構成である。
【００４３】
図１０等に示すように、保持部材３１は、半円形状のプレートである。そして、円弧にそって、５つの収容部１３が形成されており、保持部材３１によれば、最大５つの点滴チューブ１０２を独立に収容保持することができる。このような半円形状のプレートの円弧にそって収容部１３を形成した形態とすれば、左右の長さが短くても収容部１３の数を増加できる、又は収容部１３の間隔を広げて点滴チューブ１０２同士の間隔を広げることができるといった効果が得られる。
【００４４】
図１４〜１７を用いて、第４〜第７実施形態の点滴チューブ保持具４０〜７０について説明する。
【００４５】
図１４に、第４実施形態の点滴チューブ保持具４０を示す。図１４に示すように、点滴チューブ保持具４０の保持部材４１は、湾曲した矩形形状のプレートである。そして、保持部材３１と同様に、円弧にそって、６つの収容部１３が形成されている。また、保持部材３１の側面から収容部１３に亘って切り込まれたスリット４４は、点滴チューブ１０２を導入し易いように側面に近接する部分の幅が広がっている。一方、スリット４４の側面近傍を除く大部分の幅は、点滴チューブ１０２の直径よりも小さく（例えば、幅３ｍｍ）、点滴チューブ１０２が外れにくい形態である。
【００４６】
また、固定部材４２は、軸１１１に嵌合するＣの字形状を有し、例えば、弾力性のあるゴム材料から構成される。軸１１１のサイズが特定されている場合には、このような固定部材４２を用いることにより、簡便に点滴チューブ保持具４０を軸１１１に取り付けることができる。なお、保持部材４１と固定部材４２とは、着脱自在に接続されていてもよいし、接着剤等により固定されていてもよい。
【００４７】
図１５に、第５実施形態の点滴チューブ保持具５０を示す。ここで、紙面の上下方向に沿った方向を点滴チューブ保持具５０の前後方向とする。図１５に示すように、点滴チューブ保持具５０の保持部材５１は、前後方向に伸びたプレートである。そして、収容部１３は、前後方向に沿って２列形成され、スリット１４は、左右側面からそれぞれ形成される。保持部材５１によれば、プレートの左右両側から点滴チューブ１０２を取り付けることができるので、プレートのサイズ、特に左右の長さを小さくすることができる。
【００４８】
また、固定部材５２は、軸１１１に強く締結できるように、軸１１１の曲面形状に沿って当接するように加工され、また、固定ネジ１６の先端には、同じく軸１１１の形状に対応するパット１７が設けられる。なお、保持部材５１と固定部材５２とは、着脱自在に接続されていてもよいし、接着剤やボルト等により固定されていてもよい。
【００４９】
図１６に、第６実施形態の点滴チューブ保持具６０を示す。図１６に示すように、点滴チューブ保持具６０は、一体成形された部品であって、上記のようなプレート形状ではなく、４つの収容部６３を含む保持アーム部６１と、軸１１１に嵌合されるＣの字形状を有する固定部６２と、から構成される。また、収容部６３は、点滴チューブ１０２を引っ掛けることが可能なフック形状を有する。
【００５０】
図１７に、第７実施形態の点滴チューブ保持具７０を示す。図１７に示すように、点滴チューブ保持具７０は、６つの収容部７３が外周面に沿って形成され、全体がＣの字形状のプレートである。点滴チューブ保持具７０は、例えば、弾性のあるゴム材料から構成され、軸１１１に直接嵌合して取り付けることができる。また、収容部７３は、貫通孔の一部に点滴チューブ１０２を挿入可能な開口が形成された形態である。
【符号の説明】
【００５１】
１０、２０、３０、４０、５０、６０、７０  点滴チューブ保持具、１１、２１、３１、４１、５１  保持部材、１２、４２、５２  固定部材、１３、６３、７３  収容部、１４、４４  スリット、１５  支持部、１６  固定ネジ、１７  パット、６１  保持アーム部、６２  固定部、１００  医療用点滴器具、１０１  点滴バッグ、１０２  点滴チューブ、１０３  チャンバー、１０４  ローラークレンメ、１１０  点滴スタンド、軸  １１１、１１２  吊り下げフック、１１３  脚部、１１４  ジョイント。
【図１】
2011098067.tif 000003
【図２】
2011098067.tif 000004
【図３】
2011098067.tif 000005
【図４】
2011098067.tif 000006
【図５】
2011098067.tif 000007
【図６】
2011098067.tif 000008
【図７】
2011098067.tif 000009
【図８】
2011098067.tif 000010
【図９】
2011098067.tif 000011
【図１０】
2011098067.tif 000012
【図１１】
2011098067.tif 000013
【図１２】
2011098067.tif 000014
【図１３】
2011098067.tif 000015
【図１４】
2011098067.tif 000016
【図１５】
2011098067.tif 000017
【図１６】
2011098067.tif 000018
【図１７】
2011098067.tif 000019